(57)【特許請求の範囲】
【請求項１】
両側に設けられたフレームの間に所定間隔を隔てて平行に配した回動部材と、前記回動部材に掛け回し可能に設けられた無端状のコンベアベルトと、を有する第１ベルトコンベアと第２ベルトコンベアとの２つのベルトコンベアを備えたベルトコンベア装置において、
前記２つのベルトコンベアが、前記コンベアベルトの搬送方向に対して直列方向に配置され、前記２つのベルトコンベアにそれぞれ同じ側のフレーム同士を連結する連結用フレームが設けられ、前記連結用フレームの長さ方向の両端部と前記フレームとがリンク構造を有し、前記２つのベルトコンベアの内、一方のベルトコンベアのリンク構造を中心にして、前記フレームを円弧状に回転させ、前記２つのベルトコンベアを上下方向に移動させた場合に、前記２つのベルトコンベアのコンベアベルトが重なり合う位置に移動可能となるように構成されており、
前記２つのベルトコンベアの内、搬送方向に対して川上側に位置する前記第１ベルトコンベアは、前記第１ベルトコンベアの搬送方向に対して川上側が下方向に傾斜しているとともに、複数重ねた搬送物のブロックを仕切る間仕切り部材が搬送方向に対して所定間隔で設けられており、前記第１ベルトコンベアのコンベアベルトは、搬送物が設定数重ねられた場合に、所定量だけ移動するよう制御される構成としたことを特徴とする重ね合わせ可能なベルトコンベア装置。
【発明の詳細な説明】
【技術分野】
【０００１】
本発明は、印刷物を製造する際に印刷用紙などを搬送するベルトコンベア装置であって、特に、印刷物の加工工程の違いに対応して２つのベルトコンベアを上下側に重ね合わせて使用することが可能としたベルトコンベア装置に関する。
【背景技術】
【０００２】
従来、種々の印刷物を製造する場合には、その印刷物の仕様に応じて加工、搬送、を行う必要があり、例えば、異なる内容を表示した複数の印刷用紙をベルトコンベアで搬送させる場合でも、製品の性質に合わせて、多種類の排出機構を用意して対応させていた。（例えば、特許文献１〜４、参照）
このような排出機構の例としては、例えば、一定数量を一つのブロックとして排出させる「スタッカー排出」機構や、製品を一部（個・枚）ずつ刺身状に重ねながら排出していく「ベルトコンベア排出」機構や、刺身状ではなく、製品を一部ずつ間欠送りで排出していく「間欠排出」機構などがある。
【０００３】
しかしながら、一般的に加工機械は、排出方法がある一つの方式に限られており、目的によっては外付けの排出機能を接続するなどの方法がとられている。
したがって、印刷物の製品の性質によって、各々適切な排出方法があるが、排出方法が限られていることによって既存の機械のままでは製造できない場合が発生、あるいはその目的のための機能を兼ね備えた装置を購入しなければならなくなるという問題があった。
【先行技術文献】
【特許文献】
【０００４】
【特許文献１】特開２０００−１９８５１９号公報
【特許文献２】特開２００１−２０６５２４号公報
【特許文献３】特開２００３−２５２４１５号公報
【特許文献４】特開２００６−８２８４号公報
【発明の概要】
【発明が解決しようとする課題】
【０００５】
そこで、本発明は、印刷物の製品の性質に合わせて、複数の排出機構を選択して、時間や手間をかけることなく簡単に、排出機構の切り換えを行えるようにした重ね合わせ可能なベルトコンベア装置を提供する。
【課題を解決するための手段】
【０００６】
本発明の重ね合わせ可能なベルトコンベア装置は、両側に設けられたフレームの間に所定間隔を隔てて平行に配した回動部材と、前記回動部材に掛け回し可能に設けられた無端状のコンベアベルトと、を有する第１ベルトコンベアと第２ベルトコンベアとの２つのベルトコンベアを備えたベルトコンベア装置において、前記２つのベルトコンベアが、前記コンベアベルトの搬送方向に対して直列方向に配置され、前記２つのベルトコンベアにそれぞれ同じ側のフレーム同士を連結する連結用フレームが設けられ、前記連結用フレームの長さ方向の両端部と前記フレームとがリンク構造を有し、前記２つのベルトコンベアの内、一方のベルトコンベアのリンク構造を中心にして、前記フレームを円弧状に回転させ、前記２つのベルトコンベアを上下方向に移動させた場合に、前記２つのベルトコンベアのコンベアベルトが重なり合う位置に移動可能となるように構成されており、前記２つのベルトコンベアの内、搬送方向に対して川上側に位置する前記第１ベルトコンベアは、前記第１ベルトコンベアの搬送方向に対して川上側が下方向に傾斜しているとともに、複数重ねた搬送物のブロックを仕切る間仕切り部材が搬送方向に対して所定間隔で設けられており、前記第１ベルトコンベアのコンベアベルトは、搬送物が設定数重ねられた場合に、所定量だけ移動するよう制御される構成としたことを特徴とする。
【発明の効果】
【０００９】
したがって、本発明の重ね合わせ可能なベルトコンベア装置は、第１ベルトコンベアと第２ベルトコンベアとの２つのベルトコンベアが連結用フレームで連結され、リンク構造を有しているので、印刷物の製品の性質に合わせて、２つのベルトコンベアを直列状態や、または重ね合わせて使用することで、複数の排出機構を選択することができ、時間や手間をかけることなく簡単に、排出機構の切り換えを行えることができるという効果がある。
【００１０】
また、本発明の重ね合わせ可能なベルトコンベア装置は、第１ベルトコンベアの搬送方向に対して川上側が下方向に傾斜しているので、排出部の高さを調整することができる。
【００１１】
また、本発明の重ね合わせ可能なベルトコンベア装置は、第１ベルトコンベアは、搬送方向に対して所定間隔で間仕切り部材が設けられているので、一定数量を一つのブロックとして排出させるスタッカー排出を行う場合でも複数枚を重ね合わせた印刷物が崩れ落ちるという危険性がない。
【図面の簡単な説明】
【００１２】
【図１】本発明の実施形態に係る重ね合わせ可能なベルトコンベア装置と、丁合装置との関係を示す全体配置図である。
【図２】本発明の実施形態に係る重ね合わせ可能なベルトコンベア装置において、２つのコンベアベルトを重ね合わせない状態を示す平面図である。
【図３】本発明の実施形態に係る重ね合わせ可能なベルトコンベア装置において、２つのコンベアベルトを重ね合わせない状態を示す側面図である。
【図４】本発明の実施形態に係る重ね合わせ可能なベルトコンベア装置において、２つのコンベアベルトを重ね合わせた状態を示す側面図である。
【図５】本発明の実施形態に係る重ね合わせ可能なベルトコンベア装置において、連結用フレームの長さの調整を説明するための図である。
【図６】本発明の実施形態に係る重ね合わせ可能なベルトコンベア装置において、２つのコンベアベルトを重ね合わせない状態で製品を搬送した場合のシステムフローチャートである。
【発明を実施するための形態】
【００１３】
以下、本発明の実施形態に係る重ね合わせ可能なベルトコンベア装置を図面に基づいて詳細に説明する。
本発明の重ね合わせ可能なベルトコンベア装置１は、印刷物を加工して排出する構成を有する種々の装置に備えることができるが、実施形態の説明では、図１に示すように丁合装置２に本発明の重ね合わせ可能なベルトコンベア装置１を併設して備えた場合を一例として説明する。
まず、図１に示す丁合装置２では、４つの給紙ユニット３ａ，３ｂ，３ｃ，３ｄを備えており、それらの４つの給紙ユニット３ａ，３ｂ，３ｃ，３ｄから印刷物４が搬送ベルト５上に排出され、更にその搬送ベルト５により右側方向に搬送された印刷物４が、本発明の重ね合わせ可能なベルトコンベア装置１のコンベアベルトの上に排出されるように構成されている。
搬送ベルト５で排出される印刷物４の高さは、一定の高さに設定されているが、本発明の重ね合わせ可能なベルトコンベア装置１では、その後の加工の種類に応じて、搬送ベルト５から排出された印刷物４を受ける位置の高さを選択できるように構成されている。
【００１４】
ここで、加工の種類に応じて、搬送ベルト５から排出された印刷物４を受ける位置の高さを選択できるように構成する必要性について下記に説明する。
例えば、重ね合わせ可能なベルトコンベア装置１が、搬送ベルト５から排出された印刷物４を受ける位置の高さについて、一定数量を一つのブロックとして排出させる「スタッカー排出」の場合では、複数枚の印刷物を重ね合わせるために、搬送ベルト５から排出された複数枚の印刷物を同じ位置に落下させて重ねる必要があるので、搬送ベルト５から排出された位置よりもかなり低い位置で重ね合わせ可能なベルトコンベア装置１側が受け取る状態とする。
このため、重ね合わせ可能なベルトコンベア装置１側の受け止め位置を下方向に下げた状態にする必要がある。
【００１５】
また、製品を一部（個・枚）ずつ刺身状に重ねながら排出していく「ベルトコンベア排出」の場合において、搬送ベルト５から排出された位置と略同じ高さで、重ね合わせ可能なベルトコンベア装置１側が受け取る状態とする。
このため、重ね合わせ可能なベルトコンベア装置１側の受け止め位置を上記した「スタッカー排出」の場合よりも上方に上げて、搬送ベルト５の高さと略同じ高さとした状態にする必要がある。
【００１６】
このように、重ね合わせ可能なベルトコンベア装置１は、その印刷物の加工目的に応じて、重ね合わせ可能なベルトコンベア装置１側において、異なる高さで印刷物４の受け取り位置を変えることができるように構成されている。
図２には、重ね合わせ可能なベルトコンベア装置１が、一定数量を一つのブロックとして排出させる「スタッカー排出」に適する状態、つまり重ね合わせ可能なベルトコンベア装置１側の受け止め位置を下方向に下げた状態とした場合の平面図が示されており、また図３には、その側面図が示されている。
この場合には、重ね合わせ可能なベルトコンベア装置１に備えられている第１ベルトコンベア６と第２ベルトコンベア７を、並列な状態として重ね合わせない構成となっている。
【００１７】
また、図４には、重ね合わせ可能なベルトコンベア装置１が、製品を一部（個・枚）ずつ刺身状に重ねながら排出していく「ベルトコンベア排出」に適する状態、つまり重ね合わせ可能なベルトコンベア装置１側の受け止め位置を、「スタッカー排出」時の高さよりも高くして、搬送ベルト５の高さと略同じ高さとした場合の側面図が示されている。
つまり、図４では、重ね合わせ可能なベルトコンベア装置１に備えられている第１ベルトコンベア６と第２ベルトコンベア７を、重ね合わせることで、「スタッカー排出」時の高さよりも高くして、搬送ベルト５の高さと略同じ高さとした状態が示されている。
図４に示した状態では、第１ベルトコンベア６の上方に第２ベルトコンベア７が重ね合わされ、第２ベルトコンベア７だけが搬送に使用されるので、搬送ベルト５から排出された印刷物４を略同じ高さで、受け取ることができるようになっている。
【００１８】
本発明の重ね合わせ可能なベルトコンベア装置１は、上記したように第１ベルトコンベア６と第２ベルトコンベア７の２つのベルトコンベアを備えている。
第１ベルトコンベア６には、両側に設けられたフレーム８ａ，８ｂの間に所定間隔を隔てて平行に配した回動部材９ａ，９ｂと、前記回動部材９ａ，９ｂに掛け回し可能に設けられた無端状のコンベアベルト１０と、を有している。
また、第２のベルトコンベア７には、両側に設けられたフレーム１１ａ，１１ｂの間に所定間隔を隔てて平行に配した回動部材１２ａ，１２ｂと、前記回動部材１２ａ，１２ｂに掛け回し可能に設けられた無端状のコンベアベルト１３と、を有している。
【００１９】
これらの第１ベルトコンベア６と第２ベルトコンベア７の２つのベルトコンベアは、それぞれのコンベアベルト１０，１３の搬送方向に対して直列方向に並べられて配置されている。
そして、第１ベルトコンベア６と第２ベルトコンベア７の２つのベルトコンベアには、それぞれ同じ側のフレーム同士を連結する連結用フレーム１４ａ，１４ｂが設けられている。
つまりフレーム８ａとフレーム１１ａを連結する連結用フレーム１４ａと、フレーム８ｂとフレーム１１ｂを連結する連結用フレーム１４ｂと、が設けられている。
【００２０】
各々の連結用フレーム１４ａ，１４ｂには、それらの連結用フレーム１４ａ，１４ｂの長さ方向の両端部にシャフト１５ａ，１５ｂ，１６ａ，１６ｂを挿入するための挿入孔が形成されており、前記挿通孔と重なり合うフレームにもシャフト１５ａ，１５ｂ，１６ａ，１６ｂを挿入するための挿入孔が形成されており、前記連結用フレーム１４ａ，１４ｂの挿入孔と前記フレーム８ａ，８ｂ，１１ａ，１１ｂの挿入孔とに同一のシャフト１５ａ，１５ｂ，１６ａ，１６ｂが挿入されてリンク構造を有している。
そして、第１ベルトコンベア６と第２ベルトコンベア７の２つのベルトコンベアの内、一方のベルトコンベアの挿入孔に挿入されたシャフト１５ａ，１５ｂ，１６ａ，１６ｂを中心にして、前記フレームを円弧状に回転させ、前記２つのベルトコンベアを上下方向に移動させた場合に、前記２つのベルトコンベアのコンベアベルト１０，１３が重なり合う位置に移動可能となるように構成されている。
【００２１】
上記したように、本発明の重ね合わせ可能なベルトコンベア装置１は、２つのベルトコンベアが、前記コンベアベルトの搬送方向に対して直列方向に配置され、前記２つのベルトコンベアにそれぞれ同じ側のフレーム同士を連結する連結用フレーム１４ａ，１４ｂが設けられており、前記連結用フレーム１４ａ，１４ｂの長さ方向の両端部と前記フレームとがリンク構造を有し、前記２つのベルトコンベアの内、一方のベルトコンベアのリンク構造を中心にして、前記フレームを円弧状に回転させ、前記２つのベルトコンベアを上下方向に移動させた場合に、前記２つのベルトコンベアのコンベアベルト１０，１３が重なり合う位置に移動可能となるように構成されているものである。
【００２２】
また、２つのベルトコンベアの内、搬送方向に対して川上側に位置する第１ベルトコンベア６は、前記第１ベルトコンベア６の搬送方向に対して川上側が下方向に傾斜している。
更に、２つのベルトコンベアの内、搬送方向に対して川上側に位置する第１ベルトコンベア６は、搬送方向に対して所定間隔で間仕切り部材１７が取り外し可能な状態で設けられている。
この間仕切り部材１７は、図３に示すように、第１ベルトコンベア６と第２ベルトコンベア７の２つのベルトコンベアを重ねない状態の時に備え、図４に示すように、第１ベルトコンベア６と第２ベルトコンベア７を重ねた状態の時には取り外して用いる。
【００２３】
連結用フレーム１４ａ，１４ｂは、その長さ寸法の長短を必要に応じて変えることができるように構成されている。
図５には、連結用フレーム１４ｂの長さを調整できるようにした構成の例が示されている。
図５（ａ）に示す場合には、連結用フレーム１４ｂとして２本のフレームを重ね合わせた状態で、それらの全体の長さ選択した後に、ネジで２本のフレームを締め付けることで固定する構成が示されている。
この場合には、ネジを緩めて長さの調節が行えるようになっている。
また、図５（ｂ）に示す場合には、連結用フレーム１４ｂとして太さの異なる筒状の２本のフレームからなり、大きな筒状のフレーム内に小さな筒状のフレームを挿入することで、全体の長さを調整して、ネジで締め付けて長さを固定する構成となっている。
上記のように、連結用フレーム１４ａ，１４ｂの長さを調整できるので、第１ベルトコンベア６と第２ベルトコンベア７の２つのベルトコンベアを所望な状態に重ね合わせることができるようになっている。
また、上記の連結用フレームの長さ調節の構成は、連結用フレーム１４ａにおいても同様の構成を有している。
【００２４】
次に、本発明の実施形態に係る重ね合わせ可能なベルトコンベア装置１の動作について説明する。
まず、本発明の実施形態に係る重ね合わせ可能なベルトコンベア装置において、２つのコンベアベルトを重ね合わせない状態で製品を搬送した場合の動作について、図６に示すフローチャートに基づいて説明する。
図６に示すフローチャートの動作は、図３に示すように、一定数量を一つのブロックとして排出させる「スタッカー排出」の場合の動作である。
【００２５】
図３に示す場合では、ベルトコンベア一つのブロックに８枚の印刷物を重ね合わせて搬送させていく例が示されているが、この場合には、まず初期設定として、カウンタ実測値が０の状態に設定すると共に、コンベアサイクル設定の設定値を８に設定しておく。（ステップＳ１）
そして、丁合装置２の搬送ベルト５で搬送され、ベルトコンベア装置１のコンベアベルトの上に排出される重ねられる印刷物の製品カウントが行われる。（ステップＳ２）
その重ね合わされた印刷物が、予め設定したコンベアサイクル設定の設定値８と同じ数値となった否かの判定処理が行われる。（ステップＳ３）
この判定処理で設定値８と同じ数値となった場合に、ベルトコンベア装置１のコンベアベルト１０を一つのブロック分だけ移動させることで、一つのブロック毎に８枚の印刷物が重ね合わされて搬送させていく動作が行われるものである。（ステップＳ4）
したがって、コンベアサイクル設定の設定値を所望の枚数に設定するだけで、所望の枚数が重ね合わされた複数枚の印刷物をその後処理により加工することができるようになっている。
【００２６】
これに対して、図４に示すように、重ね合わせ可能なベルトコンベア装置１において、製品を一部（個・枚）ずつ刺身状に重ねながら排出していく「ベルトコンベア排出」の場合では、搬送ベルト５から排出された位置と略同じ高さで、重ね合わせ可能なベルトコンベア装置１側が受け取る状態とするために、第１ベルトコンベア６と第２ベルトコンベア７の２つのベルトコンベアを重ね合わせた状態で、第２ベルトコンベア７だけで搬送ベルト５から排出された印刷物４を１枚毎に搬送させるので、図６に示すフローチャートの動作においては、コンベアサイクル設定の設定値の１に設定させておく。
これにより、図４に示すように、ベルトコンベアが間欠動作して１枚毎の印刷物４を搬送させることができるようになっている。
【００２７】
上記したように、本発明の重ね合わせ可能なベルトコンベア装置１では、第１ベルトコンベアと第２ベルトコンベアとの２つのベルトコンベアが連結用フレームで連結され、リンク構造を有しているので、印刷物の製品の性質に合わせて、２つのベルトコンベアを直列状態や、または重ね合わせて使用することで、複数の排出機構を選択することができ、時間や手間をかけることなく簡単に、排出機構の切り換えを行えることができるように構成されている。
【符号の説明】
【００２８】
１  重ね合わせ可能なベルトコンベア装置
２  丁合装置
３ａ，３ｂ，３ｃ，３ｄ  給紙ユニット
４  印刷物
５  搬送ベルト
６  第１ベルトコンベア
７  第２ベルトコンベア
８ａ，８ｂ，１１ａ，１１ｂ  フレーム
１２ａ，１２ｂ  回動部材
１３  無端状のコンベアベルト
１４ａ，１４ｂ  連結用フレーム
１５ａ，１５ｂ，１６ａ，１６ｂ  シャフト
１７  間仕切り部材
【図１】
0005604950.tif 000002
【図２】
0005604950.tif 000003
【図３】
0005604950.tif 000004
【図４】
0005604950.tif 000005
【図５】
0005604950.tif 000006
【図６】
0005604950.tif 000007